(57)【要約】      （修正有）【課題】簡単な工程で作成でき、使用済みとなったときは容易に小さく折り畳むことができる折り畳み段ボール箱を提供する。【解決手段】予め組み立て用の折れ線が設けられた段ボール紙１０を、組み立て用の折れ線Ａ、Ｂ、Ｃ、Ｄ、Ｅ、Ｆに沿って組み立てて、商品の梱包、運搬用に用いる段ボール箱１となし、商品の梱包、運搬を終えて使用済みとなったとき、組み立て用の折れ線に沿って再び折り畳み、元の段ボール紙の大きさに展開する段ボール箱１であって、組み立て用の折れ線とは別に、元の大きさの段ボール紙を更に小さく折り畳むための折り畳み用の折れ線Ｇを設けた。【選択図】図１
0003140382.tif 000002
【実用新案登録請求の範囲】
【請求項１】
予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、前記組み立て用の折れ線に沿って再び折り畳み、元の段ボール紙の大きさに展開する段ボール箱であって、前記組み立て用の折れ線とは別に、元の大きさの段ボール紙を更に小さく折り畳むための折り畳み用の折れ線を設けたことを特徴とする折り畳み段ボール箱。
【請求項２】
予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、前記組み立て用の折れ線に沿って再び折り畳み、元の段ボール紙の大きさに展開する段ボール箱であって、前記組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐と、前記結束紐を掛けやすくするための溝とを設けたことを特徴とする折り畳み段ボール箱。
【請求項３】
前記溝は、前記結束紐を十の字又はキの字にして掛けやすくするため複数対の溝を設けたことを特徴とする請求項２記載の折り畳み段ボール箱。
【考案の詳細な説明】
【技術分野】
【０００１】
本考案は、商品の梱包、運搬用に用いる段ボール箱であって、使用済みとなったとき容易に小さく折り畳むことができる折り畳み段ボール箱に関する。
【背景技術】
【０００２】
段ボール箱は、周知のごとく、波形に加工した中芯の両面或いは片面に平らなライナーを張って補強した段ボールシートを素材とする箱であって、軽さと強度、構造に由来する衝撃吸収性、何度も折りたたんでは組み立てられる利便性などから、宅配便、引越し等の運送業、または貯蔵の分野で、幅広く利用されている。
【０００３】
このような段ボール箱は、商品の梱包、運搬等の役目が終わった後は、不要物として廃棄処分される。通常は、廃棄処分する場合、箱体の形状のままでは非常にかさばり、輸送効率、廃棄スペース等の問題があったので、使用後はコンパクトに折り畳んでその取り扱いを容易にすることができるダンボール箱が知られている（例えば、特許文献１参照）。
【０００４】
【特許文献１】特開平１０−３５６４２号公報
【考案の開示】
【考案が解決しようとする課題】
【０００５】
しかしながら、特許文献１に記載のダンボール箱は、ダンボール箱を組み立てる組立用の折れ線とは別に、折り畳み用の折れ線が複数本設けられているため、ダンボール箱を組み立てるダンボール紙の作成にあたり多数の折れ線が必要となりしかも山折り用の折れ線と谷折り用の折れ線の区別をしなければならず複雑な工程が必要となった。
【０００６】
本考案は、上記の問題点を解決するためになされたものであり、簡単な工程で作成でき、使用済みとなったときは容易に小さく折り畳むことができる折り畳み段ボール箱を提供することを目的としたものである。
【課題を解決するための手段】
【０００７】
上記目的を達成するため、請求項１記載の折り畳み段ボール箱は、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線を設けたことを特徴とするものである。
【０００８】
また、請求項２記載の折り畳み段ボール箱は、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐と、結束紐を掛けやすくするための溝とを設けたことを特徴とするものである。
【０００９】
また、請求項３記載の折り畳み段ボール箱は、請求項２記載の折り畳み段ボール箱であって、溝は、結束紐を十の字又はキの字にして掛けやすくするため複数対の溝を設けたことを特徴とするものである。
【考案の効果】
【００１０】
請求項１記載の折り畳み段ボール箱によれば、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線を設けたので、簡単な工程で作成でき、使用済みとなったときは容易に小さく折り畳むことができる。
【００１１】
また請求項２記載の折り畳み段ボール箱によれば、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐と、結束紐を掛けやすくするための溝とを設けたので、元の大きさの段ボール紙を更に小さく折り畳んだとき小さく折り畳んだ段ボール紙が戻らないようにすることができる。
【００１２】
また請求項３記載の折り畳み段ボール箱によれば、結束紐を十の字又はキの字にして掛けやすくするため複数対の溝を設けたので、結束紐を掛けやすくして更に戻りにくくすることができる。
【考案を実施するための最良の形態】
【００１３】
本考案の実施の形態を、添付図面に例示した本考案の実施形態例に基づいて以下に具体的に説明する。
【実施例】
【００１４】
実施形態例１
先ず、本考案の実施形態例に係る折り畳み段ボール箱につき、図１から図５を用いて説明する。図１は、本考案の実施形態例に係る折り畳み段ボール箱を展開した段ボール紙の展開図である。図２は、同上の折り畳み段ボール箱を使用前に折り畳んで保管する状態を示す平面図である。図３は、同上の折り畳み段ボール箱を使用するため組み立て途中の状態を示す斜視図である。図４は、同上の折り畳み段ボール箱を使用するため組み立てが完了した状態を示す斜視図である。図５は、同上の折り畳み段ボール箱を使用済みとなったとき折り畳んで廃棄する状態を示す斜視図である。
【００１５】
図１は、本考案の実施形態例に係る折り畳み段ボール箱１を展開した段ボール紙１０の展開図である。段ボール紙１０は、組み立てて段ボール箱１を形成したとき底部となる真中の底面２０の上下に、折れ線Ａを介して、対をなす側壁３１、３１が隣設され、底面２０の左右に、折れ線Ｂを介して、対をなす側壁３２、３２が隣設される。左右の側壁３２、３２は、更に折れ線Ｃを介して、蓋部４０、４０が延設される。側壁３１と側壁３２で挟まれた四隅には、斜め方向の折れ線Ｄを介して、側壁３１側に貼着片５１、側壁３２側に重合片５２が、夫々上下左右対称に設けられる。
【００１６】
また、上下の側壁３１、３１の夫々先端に、折れ線Ｅを介して、フラップ６１、６１を折曲可能に延長して設け、さらに、これらのフラップ６１、６１の先端に、折れ線Ｆを介して、舌片６２、６２を折曲可能に延長して設ける。点線で示したこれらの折れ線Ａ、Ｂ、Ｃ、Ｄ、Ｅ、Ｆは組み立て用の折れ線であり、これらの組み立て用の折れ線とは別に、底面２０、側壁３２、蓋部４０のほぼ真ん中を横断する折り畳み用の折れ線Ｇが設けられる。
【００１７】
次に、図１で示した段ボール紙１０から段ボール箱１を組み立てる手順について説明する。底面２０の両側に隣設された側壁３２、３２の一方を折れ線Ｂで内側に折り畳み、上下に設けられた貼着片５１を側壁３１に糊付けする。側壁３２、３２の他方についても同様に折れ線Ｂで内側に折り畳み、上下に設けられた貼着片５１を側壁３１に糊付けする。左右の側壁３２、３２を内側に折り畳むと、中央で側壁３２、蓋部４０同士が重なり、図２に示す状態になる。段ボール箱１を使用する前はこの状態にして保管すれば、コンパクトに保管することができる。
【００１８】
この図２に示した状態から、内側に折り畳んだ左右の側壁３２、３２を両側に広げ垂直になるまで起立させると、貼着片５１に糊付けされた上下の側壁３１、３１が起き上がり、斜め方向の折れ線Ｄを内側にして貼着片５１と重合片５２が接近し、図３に示す組み立て途中の状態になる。
【００１９】
この図３に示した状態から、起立させた一方の側壁３１の先端を折れ線Ｅで内側に折り曲げ、更に舌片６２を折れ線Ｆで内側に折り曲げ、更に他方の側壁３１、舌片６２を折れ線Ｅ、Ｆで内側に折り曲げると、側壁３１に連なった貼着片５１と側壁３２に連なった重合片５２とが舌片６２によって連結され、底面２０が側壁３１、３１、３２、３２で囲まれ、蓋部４０、４０を有する段ボール箱１が組み立てられ、図４に示すように組み立て完了の状態になる。
【００２０】
なお、側壁３１の内側に舌片６２を折り曲げるにあたり、側壁３１と貼着片５１の重なり部分をフラップ６１により余裕を持たせてあるので、厚みに反発することなく折り曲げることができる。
【００２１】
以上の説明では、段ボール紙１０から底面２０に隣設された側壁３２を折れ線Ｂで内側に折り畳み、貼着片５１を側壁３１に糊付けして段ボール箱１を組み立てたが、糊付けする他に、コの字形のステープル金具を使用して貼着片５１を側壁３１に綴じ合わせる方法を採用しても良い。この様に、ステープルを使用した場合、貼着片５１を側壁３１に強固に付着することができ、思いがけない外力が加わっても貼着片５１が側壁３１から剥がれるようなことがない。
【００２２】
次に、上記のように組み立てた段ボール箱１を用いて商品の梱包、運搬等を行ない、その役目が終わった後は、不要物として廃棄処分する手順について説明する。
【００２３】
段ボール箱１を組み立てるために内側に折り曲げた舌片６２、６２を元に戻すと、側壁３１に連なった貼着片５１と側壁３２に連なった重合片５２の連結が外れ、側壁３１を元に戻し、側壁３２を内側に折り畳むと、図５（ａ）に示すような廃棄前の状態になる。
【００２４】
廃棄処分する場合、この状態ではまだ大きいので、底面２０、側壁３２、蓋部４０のほぼ真ん中を横断する折り畳み用の折れ線Ｇで矢印のように内側に折り畳むと半分の大きさになり図５（ｂ）に示すような廃棄時の状態になる。
【００２５】
このようにして、使用済みとなった段ボール箱を廃棄処分する場合、組み立て用の折れ線に沿って再び折り畳み、更に小さく折り畳むための折り畳み用の折れ線によって、元の大きさの段ボール紙を更に小さく折り畳むことが出来るため廃棄処分がし易くなる。
【００２６】
実施形態例２
本例においては、組み立て用の折れ線とは別に、元の大きさの段ボール紙を更に小さく折り畳むための折り畳み用の折れ線を設けた実施形態例１に加え、小さく折り畳んだとき小さく折り畳んだ段ボール紙が戻らないように段ボール紙を結束する結束紐と、その結束紐を掛けやすくするための溝とを設けたものである。
【００２７】
図６に示すように、結束紐７０を十の字にして掛けやすくするために上下左右に複数対の溝７ａ、７ｂ、８ａ、８ｂを設けた。また、溝８ａ、８ｂと並行に溝９ａ、９ｂを設けることにより、結束紐７０をキの字にして更に戻りにくくすることができる。
【００２８】
以上、説明したように、本考案によれば、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線を設けたので、簡単な工程で作成でき、使用済みとなったときは容易に小さく折り畳むことができる。
【００２９】
また、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、前記組み立て用の折れ線に沿って再び折り畳み、元の段ボール紙の大きさに展開する段ボール箱であって、前記組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐と、前記結束紐を掛けやすくするための溝とを設けたので、元の大きさの段ボール紙を更に小さく折り畳んだとき小さく折り畳んだ段ボール紙が戻らないようにすることができる。
【００３０】
更にまた、結束紐を十の字又はキの字にして掛けやすくするため複数対の溝を設けたので、結束紐を掛けやすくして更に戻りにくくすることができる。
【図面の簡単な説明】
【００３１】
【図１】本考案の実施形態例１に係る折り畳み段ボール箱を展開した段ボール紙の展開図である。
【図２】同上の折り畳み段ボール箱を使用前に折り畳んで保管する状態を示す平面図である。
【図３】同上の折り畳み段ボール箱を使用するため組み立て途中の状態を示す斜視図である。
【図４】同上の折り畳み段ボール箱を使用するため組み立てが完了した状態を示す斜視図である。
【図５】同上の折り畳み段ボール箱を使用済みとなったとき折り畳んで廃棄する状態を示す斜視図で、（ａ）は廃棄前の状態、（ｂ）は廃棄時の状態を示す。
【図６】本考案の実施形態例２に係る折り畳み段ボール箱を使用済みとなったとき折り畳んで廃棄する状態を示す斜視図である。
【符号の説明】
【００３２】
１    折り畳み段ボール箱
１０  段ボール紙
２０  底面
３１、３１、３２、３２  対をなす側壁
４０  蓋部
５１  貼着片
５２  重合片
６１  フラップ
６２  舌片
７０  結束紐
７ａ、７ｂ、８ａ、８ｂ、９ａ、９ｂ  溝
Ａ、Ｂ、Ｃ、Ｄ、Ｅ、Ｆ  組み立て用の折れ線
Ｇ  折り畳み用の折れ線
【図１】
0003140382.tif 000003
【図２】
0003140382.tif 000004
【図３】
0003140382.tif 000005
【図４】
0003140382.tif 000006
【図５】
0003140382.tif 000007
【図６】
0003140382.tif 000008
【手続補正書】
【提出日】平成20年1月9日(2008.1.9)
【手続補正１】
【補正対象書類名】実用新案登録請求の範囲
【補正対象項目名】請求項２
【補正方法】変更
【補正の内容】
【請求項２】
予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、前記組み立て用の折れ線に沿って再び折り畳み、元の段ボール紙の大きさに展開する段ボール箱であって、前記組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐を掛けやすくするための溝とを設けたことを特徴とする折り畳み段ボール箱。
【手続補正２】
【補正対象書類名】明細書
【補正対象項目名】０００８
【補正方法】変更
【補正の内容】
【０００８】
また、請求項２記載の折り畳み段ボール箱は、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐を掛けやすくするための溝とを設けたことを特徴とするものである。
【手続補正３】
【補正対象書類名】明細書
【補正対象項目名】００１１
【補正方法】変更
【補正の内容】
【００１１】
また請求項２記載の折り畳み段ボール箱によれば、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐を掛けやすくするための溝とを設けたので、元の大きさの段ボール紙を更に小さく折り畳んだとき小さく折り畳んだ段ボール紙が戻らないようにすることができる。
【手続補正４】
【補正対象書類名】明細書
【補正対象項目名】００２６
【補正方法】変更
【補正の内容】
【００２６】
実施形態例２
本例においては、組み立て用の折れ線とは別に、元の大きさの段ボール紙を更に小さく折り畳むための折り畳み用の折れ線を設けた実施形態例１に加え、小さく折り畳んだとき小さく折り畳んだ段ボール紙が戻らないように段ボール紙を結束する結束紐を掛けやすくするための溝とを設けたものである。
【手続補正５】
【補正対象書類名】明細書
【補正対象項目名】００２９
【補正方法】変更
【補正の内容】
【００２９】
また、予め組み立て用の折れ線が設けられた段ボール紙を、組み立て用の折れ線に沿って組み立てて、商品の梱包、運搬用に用いる段ボール箱となし、商品の梱包、運搬を終えて使用済みとなったとき、組み立て用の折れ線に沿って再び折り畳み、元の段ボール紙の大きさに展開する段ボール箱であって、組み立て用の折れ線とは別に、元の大きさの段ボール紙を更に小さく折り畳むための折り畳み用の折れ線と、小さく折り畳んだとき小さく折り畳んだ段ボール紙が戻らないように段ボール紙を結束する結束紐を掛けやすくするための溝とを設けたので、元の大きさの段ボール紙を更に小さく折り畳んだとき小さく折り畳んだ段ボール紙が戻らないようにすることができる。